(57)【要約】【課題】構成が簡単で全体をコンパクトにすることができるとともに、低コストで製造できる制御信号送信用イヤホンマイクを提供すること。【解決手段】情報端末に接続され、その情報端末からの制御信号としての電信音を別の情報端末に送信するための制御信号送信用イヤホンマイク１０であって、情報端末と接続され、その情報端末からの電信音を出力する外部イヤホン３と、外部イヤホン３からの電信音を集音し、その電信音を情報端末に戻す内部マイク４とを備えたものである。さらに、内部マイク４をオン・オフするスイッチ６を設け、接続された情報端末からの電信音を別の情報端末に送信する場合にのみ、スイッチ６により内部マイク４をオンにする。【選択図】    図２
2005051294.tif 000002
【特許請求の範囲】
【請求項１】
情報端末に接続され、その情報端末からの制御信号としての電信音を別の情報端末に送信するための制御信号送信用イヤホンマイクであって、
情報端末と接続され、その情報端末からの電信音を出力する外部イヤホンと、
前記外部イヤホンからの電信音を集音し、その電信音を情報端末に戻す内部マイクとを備えた制御信号送信用イヤホンマイク。
【請求項２】
前記内部マイクをオン・オフするスイッチを更に備え、接続された情報端末からの電信音を別の情報端末に送信する場合にのみ、前記スイッチにより前記内部マイクをオンにするようにした請求項１に記載の制御信号送信用イヤホンマイク。
【請求項３】
情報端末に接続され、別の情報端末に音声を送信するための外部マイクを更に備え、前記外部イヤホンは別の情報端末からの音声も出力するように情報端末に接続されており、
別の情報端末との間で音声を送受信する場合には、前記スイッチにより前記内部マイクをオフにするようにした請求項２に記載の制御信号送信用イヤホンマイク。
【請求項４】
情報端末とは別の電信音発信機を接続可能な接続ソケットを更に備え、前記電信音発信機からの制御信号としての電信音を接続された情報端末に送信可能とした請求項１〜３の何れか１項に記載の制御信号送信用イヤホンマイク。
【請求項５】
情報端末としての携帯電話とＰＨＳの両方に接続可能な接続プラグを更に備えた請求項１〜４の何れか１項に記載の制御信号送信用イヤホンマイク。
【発明の詳細な説明】
【０００１】
【発明の属する技術分野】
本発明は、携帯電話、ＰＨＳ等の情報端末に接続され、その情報端末からの制御信号としての電信音を別の情報端末に送信するための制御信号送信用イヤホンマイクに関する。
【０００２】
【従来の技術】
携帯電話、ＰＨＳ等の情報端末は、近年、動画送受信機能付きのものが開発されたこともあって、その用途が急速に拡大しており、例えば、遠隔店舗や事務所内などを離れた場所で監視して制御する遠隔監視制御システムにおける監視側や被監視側の情報端末としての利用が検討されている。
【０００３】
遠隔監視制御システムとは、被監視側の情報端末から送信されてくる画像、音声等を監視側の情報端末で監視するとともに、監視側の情報端末から被監視側に映像信号選択、音声信号選択等の制御信号を送信し制御するようにしたもので、本願出願人は先に、特許文献１において、情報端末としてテレビ電話を利用した遠隔監視制御システムを開示し、さらに、特願２００２−３１００３４において、携帯電話、携帯情報端末等の動画送受信機能付きの情報端末を利用した遠隔監視制御システムを提案した。
【０００４】
このようなテレビ電話や携帯電話等の情報端末を利用した遠隔監視制御システムでは、監視側から被監視側に送信する制御信号として番号キーの操作に対応して発せられる電信音を利用するが、情報端末の中には、動画送受信中に電信音を発信できないものがあり、例えば現在市販されている動画送受信機能付きの携帯電話には、動画送受信中に電信音を発信できるものはない。そのため、遠隔監視制御システムの情報端末として市販の携帯電話を用いる場合、別途その電信音を受信し発信するための手段が必要となる。
【０００５】
その手段として、例えば特許文献２に開示されているようなイヤホンマイクを利用することが考えられるが、特許文献２に開示されているイヤホンマイクでは音声の送受信はできるものの携帯電話等の情報端末からの電信音を送受信することはできない。そこで、本願出願人は、先に実願２００３−８２６において、制御信号送信用イヤホンマイクを提案したところである。
【０００６】
しかし、実願２００３−８２６で提案した制御信号送信用イヤホンマイクは、制御信号送信用の内部イヤホンと他の情報端末からの音声を受信するための外部イヤホンを個別に備えているため、構成が複雑になりコストも高くなるという問題を抱えていた。
【０００７】
【特許文献１】
特開２００２−３２５２４７号公報
【０００８】
【特許文献２】
特開２００１−５４１８５号公報
【０００９】
【発明が解決しようとする課題】
本発明は、実願２００３−８２６で提案した制御信号送信用イヤホンマイクの改良に係るもので、その課題は、構成が簡単で全体をコンパクトにすることができるとともに、低コストで製造できる制御信号送信用イヤホンマイクを提供することにある。
【００１０】
【課題を解決するための手段】
上記課題を解決するために、本発明の制御信号送信用イヤホンマイクは、情報端末に接続され、その情報端末からの制御信号としての電信音を別の情報端末に送信するための制御信号送信用イヤホンマイクであって、情報端末と接続され、その情報端末からの電信音を出力する外部イヤホンと、前記外部イヤホンからの電信音を集音し、その電信音を情報端末に戻す内部マイクとを備えたことを特徴とするものである。
【００１１】
本発明は、上記のような構成にすることで、実願２００３−８２６で提案した制御信号送信用イヤホンマイクで使用していた内部イヤホンを省略し、これによって、構成を簡略化してコンパクト化と低コスト化を達成したものである。
【００１２】
本発明の制御信号送信用イヤホンマイクでは、内部マイクをオン・オフするスイッチを設け、接続された情報端末からの電信音を別の情報端末に送信する場合にのみ、前記スイッチにより前記内部マイクをオンにするようにすることができる。
【００１３】
さらに、別の情報端末に音声を送信するための外部マイクを情報端末に接続し、外部イヤホンは別の情報端末からの音声も出力するように情報端末に接続し、別の情報端末との間で音声を送受信する場合には、前記スイッチにより内部マイクをオフにするようにすることができる。
【００１４】
また、情報端末とは別の電信音発信機を接続可能な接続ソケットを設け、電信音発信機からの制御信号としての電信音を接続された情報端末に送信可能とすることもできる。電信音発信機からの電信音を送信する場合には、前記スイッチにより前記内部マイクはオフにするが、前記外部マイク及び外部イヤホンは使用可能であり、これによって他の情報端末との間で音声の送受信は可能である。
【００１５】
さらに、情報端末としての携帯電話とＰＨＳの両方に接続可能な接続プラグを設ければ、携帯電話とＰＨＳの何れにも一つの接続プラグによって接続することができる。
【００１６】
【発明の実施の形態】
以下、本発明の制御信号送信用イヤホンマイクが接続される情報端末を携帯電話又はＰＨＳとした実施例によって本発明の実施の形態を説明する。
【００１７】
図１は、本発明の制御信号送信用イヤホンマイクの一実施例を示す外観図、図２はその回路図である。
【００１８】
図１、２に示すように、制御信号送信用イヤホンマイク１０は、接続プラグ１と、接続ソケット２と、外部イヤホン３及び内部マイク４を内蔵したイヤホンケース５と、スイッチ６及び外部マイク７を内蔵した操作部ケース８と、固定クリップ９とから構成されている。
【００１９】
接続プラグ１は、携帯電話と接続するための携帯電話アダプター１ａと、ＰＨＳと接続するためのＰＨＳアダプター１ｂとを備え、これによって、制御信号送信用イヤホンマイク１０の構成部品とＰＨＳ又は携帯電話（以下「携帯電話等」という。）とを電気的に接続するものである。
【００２０】
接続ソケット２は、別途に電信音発信機やイヤホンを接続するためのもので、そのために複数の接続部２ａを備えている。
【００２１】
外部イヤホン３は、接続プラグ１を介して携帯電話等と電気的に接続され、その携帯電話等の番号キーの操作に対応して発せられる制御信号としての電信音を受信しその電信音を出力する。なお、外部イヤホン３は、通常のイヤホンと同様に、他の携帯電話等から受信される音声を出力することもできる。
【００２２】
内部マイク４は、外部イヤホン３から出力された電信音を集音し、その電信音を、接続プラグ１を介して携帯電話等に戻す。
【００２３】
スイッチ６は、接続プラグ１と内部マイク４との間に設けられており、これをスライド操作することにより、内部マイク４をオン・オフするようになっている。
【００２４】
外部マイク７は、接続プラグ１を介して携帯電話等に接続され、別の携帯電話等へ音声を送信するためのものである。
【００２５】
固定クリップ９は、制御信号送信用イヤホンマイク１０を衣服等にクリップするためのもので、任意の箇所に設けることができる。
【００２６】
以上の構成において、制御信号送信用イヤホンマイク１０を接続した携帯電話等からの電信音を別の携帯電話等（情報端末）に送信する際には、まず、スイッチ６をスライド操作して図２に示すように内部マイク４をオンにする。そして、携帯電話等の番号キーを操作すると、制御信号としての電信音が外部イヤホン３から出力され、内部マイク４によって集音されて携帯電話等に戻される。携帯電話等に戻された電信音は、その携帯電話等から別の携帯電話等（情報端末）に制御信号として送信される。
【００２７】
制御信号送信用イヤホンマイク１０を制御信号送信用としてではなく、通常のイヤホンマイクとして使用する際には、スイッチ６を図２において下方向にスライド操作して内部マイク４をオフにした後、外部マイク７及び外部イヤホン３を使用して音声の送受信を行う。内部マイク４をオフにしなくても外部マイク７及び外部イヤホン３の使用自体は可能であるが、内部マイク４をオフにしないとハウリングが生じるので、外部マイク７を使用する際は内部マイク４をオフにする必要がある。
【００２８】
制御信号送信用イヤホンマイク１０には、制御信号としての電信音の発信源として別の電信音発信機を接続することができる。電信音発信機は、上述のように、接続ソケット２の接続部２ａに接続される。電信音発信機を使用する場合、スイッチ６により内部マイク４はオフにする。これによって、電信音発信機からの電信音を、接続された携帯電話等から別の携帯電話等（情報端末）に制御信号として送信できるとともに、同時に外部マイク７及び外部イヤホン３を使用して音声の送受信を行うことができる。なお、接続部２ａには電信音発信機のほか、例えばイヤホンを接続して複数の人によって音声を聴取可能としたり、録音機を接続して、送受信される音声の録音を行うようにすることができる。
【００２９】
【発明の効果】
本発明は以下の効果を奏する。
【００３０】
１．従来の制御信号送信用イヤホンマイクで使用していた内部イヤホンが不必要であるので、構成が簡単になり、全体をコンパクトにすることができるとともに、コストも低減できる。
【００３１】
２．動画送受信中に電信音を送信することができない情報端末においても、その情報端末からの制御信号としての電信音を別の情報端末に送信できる。
【００３２】
３．内部マイクをオン・オフするためのスイッチを備えたことにより、外部マイク使用時のハウリングの発生を防止できる。
【００３３】
４．情報端末とは別の電信音発信機を接続可能な接続ソケットを備えたことにより、制御信号としての電信音の送信と同時に音声の送受信を行うことができる。
【図面の簡単な説明】
【図１】本発明の制御信号送信用イヤホンマイクの一実施例を示す外観図である。
【図２】図１に示す制御信号送信用イヤホンマイクの回路図である。
【符号の説明】
１０  制御信号送信用イヤホンマイク
１  接続プラグ
１ａ  携帯電話アダプター
１ｂ  ＰＨＳアダプター
２  接続ソケット
２ａ  接続部
３  外部イヤホン
４  内部マイク
５  イヤホンケース
６  スイッチ
７  外部マイク
８  操作部ケース
９  固定クリップ
【図１】
2005051294.tif 000003
【図２】
2005051294.tif 000004